(57)【要約】【課題】長期間のプラントデータを効率よく検索し、傾向監視や異常値監視を行うことが可能なグラフを表示できるデータ表示装置を提供することである。【解決手段】プラントデータを所定のデータ取込周期でプラントデータテーブル３に取り込み、データ取込周期より長いデータ収録周期でデータを取り込みデータ収録周期ごとにまとめてプラントデータ履歴情報テーブル７へ保存し、プラントデータ履歴情報ごとのプラントデータの最大値や最小値や平均値を含む長期検索用履歴情報を作成し長期検索用履歴情報テーブル１１へ保存する。検索手段１５は、プラントデータテーブル３やプラントデータ履歴情報テーブル７や長期検索用履歴情報テーブル１１から表示データのデータ検索を行い、グラフ作成手段２１により表示装置２８にグラフを表示する。【選択図】  図１
2010049533.tif 000002
【特許請求の範囲】
【請求項１】
プラントの設備に設置された各センサーからのプラントデータを所定のデータ取込周期で時系列的にプラントデータテーブルに取り込むプラントデータ入力手段と、前記データ取込周期より長い複数種類のデータ収録周期で前記プラントデータテーブルのプラントデータを時系列的に取り出しその時系列プラントデータを前記データ収録周期ごとにまとめてプラントデータ履歴情報としてプラントデータ履歴情報テーブルへ保存するプラントデータ収録手段と、前記プラントデータ履歴情報ごとにプラントデータ履歴情報を識別するためのインデックス情報を作成するインデックス作成手段と、前記プラントデータ履歴情報ごとのプラントデータの最大値や最小値や平均値を含む長期検索用履歴情報を作成し長期検索用履歴情報テーブルへ保存する長期検索用履歴情報作成手段と、前記長期検索用履歴情報ごとに長期検索用履歴情報を識別するための長期検索用インデックス情報を作成する長期検索用インデックス作成手段と、オペレータの要求により表示するグラフのグラフ表示条件に基づいて前記プラントデータテーブルや前記プラントデータ履歴情報テーブルや前記長期検索用履歴情報テーブルから表示データのデータ検索を行い前記プラントデータ履歴情報を検索する場合には前記インデックス情報により検索し前記長期検索用履歴情報を検索する場合には長期検索用インデックス情報により検索し検索結果情報テーブルに保存する検索手段と、前記検索結果情報テーブルに保存された表示データに基づいて表示装置に表示するグラフを作成するグラフ作成手段とを備えたことを特徴とするデータ表示装置。
【請求項２】
プラントの設備に設置された各センサーからのプラントデータを所定のデータ取込周期で時系列的にプラントデータテーブルに取り込むプラントデータ入力手段と、前記データ取込周期より長い複数種類のデータ収録周期で前記プラントデータテーブルのプラントデータを時系列的に取り出しその時系列プラントデータを前記データ収録周期ごとにまとめてプラントデータ履歴情報としてプラントデータ履歴情報テーブルへ保存するプラントデータ収録手段と、前記プラントデータ履歴情報ごとにプラントデータ履歴情報を識別するためのインデックス情報を作成するインデックス作成手段と、前記プラントデータ履歴情報ごとのプラントデータの最大値や最小値や平均値を含む長期検索用履歴情報を作成する最大値・最小値・平均値算出手段と、オペレータの要求により表示するグラフのグラフ表示条件に基づいて前記プラントデータテーブルや前記プラントデータ履歴情報テーブルから表示データのデータ検索を行い長期検索用履歴情報を表示する場合には前記インデックス情報により前記プラントデータ履歴情報を検索して前記最大値・最小値・平均値算出手段で前記プラントデータ履歴情報ごとのプラントデータの最大値や最小値や平均値を算出させてプラントデータ履歴情報ごとのプラントデータの最大値や最小値や平均値のデータ検索を行い検索結果情報テーブルに保存する検索手段と、前記検索結果情報テーブルに保存された表示データに基づいて表示装置に表示するグラフを作成するグラフ作成手段とを備えたことを特徴とするデータ表示装置。
【請求項３】
前記グラフ表示手段で表示する前記長期検索用履歴情報の平均値を用いた長期傾向グラフと、前記グラフ表示手段で表示する前記長期検索用履歴情報の最大値や最小値を用いた異常値検出グラフとの表示切り替えを行うグラフ切替手段を設けたことを特徴とする請求項１または２記載のデータ表示装置。
【請求項４】
前記グラフ表示手段で表示する前記長期検索用履歴情報の平均値を用いた長期傾向グラフのグラフ上に自由にサイズ変更可能な枠を表示しその枠内に拡大表示を行うとともに枠内のプラントデータの平均値や最大値や最小値を表示するグラフ拡大手段を設けたことを特徴とする請求項１または２記載のデータ表示装置。
【請求項５】
プラントの現場巡視点検で採取したイベントデータをイベントデータテーブルに取り込むイベントデータ入力手段と、前記グラフ表示手段で表示するグラフ上の同一時間軸のイベントデータを前記イベントデータテーブルから検索するイベントデータ検索手段とを備え、前記グラフ表示手段は、前記表示装置に表示するグラフ上に前記イベントデータ検索手段で検索したイベントデータを同一時間軸に重ねて表示することを特徴とする請求項１または２記載のデータ表示装置。
【請求項６】
前記表示装置に表示されたグラフ上で比較元の範囲を選択してコピーし比較先のエリアにペーストするグラフ複製手段を備え、前記グラフ表示手段は、複製を表示するとともに選択した範囲内でグラフの拡大描画を行うことを特徴とする請求項１または２記載のデータ表示装置。
【発明の詳細な説明】
【技術分野】
【０００１】
本発明は、長期間のプラントデータを高速かつ効率的に表示するデータ表示装置に関する。
【背景技術】
【０００２】
例えば、発電プラントのデータを管理するプラントデータ管理装置のデータ表示装置においては、グラフを表示する際に、表示するポイントと検索周期と表示期間などの条件を指定して、その条件に合致したデータのみを表示している。
【０００３】
プラントの長期間保存された運転履歴データについて表示する履歴データ検索出力装置として、容易な対話操作で任意の履歴データを適切に評価可能な表示形式にて出力するようにしたものがある（例えば、特許文献１参照）。これは、収録された運転履歴データファイルから検索されたＴＹグラフ表示用に編集されたＴＹグラフデータを格納し、ＴＹグラフに表示される各データ値の品質を判定し、品質判定の結果からデータ欠損期間に応じてデータ欠損期間の始点と終点との間を線描画するものである。
【特許文献１】特開２０００−１０６２２号公報
【発明の開示】
【発明が解決しようとする課題】
【０００４】
しかし、コンピュータ技術の発達に伴い、プラントデータの収集周期は１分程度から１秒程度となり、保存するプラントデータの保存量が膨大になっている。そのため、長期間のプラントデータを検索するのに時間がかかりグラフ表示の応答性が問題となっている。また、プラントの運転業務で重要な長期間の傾向監視や異常値監視を行うのが困難となっている。
【０００５】
本発明の目的は、長期間のプラントデータを効率よく検索し、傾向監視や異常値監視を行うことが可能なグラフを表示できるデータ表示装置を提供することである。
【課題を解決するための手段】
【０００６】
本発明に係わるデータ表示装置は、プラントの設備に設置された各センサーからのプラントデータを所定のデータ取込周期で時系列的にプラントデータテーブルに取り込むプラントデータ入力手段と、前記データ取込周期より長い複数種類のデータ収録周期で前記プラントデータテーブルのプラントデータを時系列的に取り出しその時系列プラントデータを前記データ収録周期ごとにまとめてプラントデータ履歴情報としてプラントデータ履歴情報テーブルへ保存するプラントデータ収録手段と、前記プラントデータ履歴情報ごとにプラントデータ履歴情報を識別するためのインデックス情報を作成するインデックス作成手段と、前記プラントデータ履歴情報ごとのプラントデータの最大値や最小値や平均値を含む長期検索用履歴情報を作成し長期検索用履歴情報テーブルへ保存する長期検索用履歴情報作成手段と、前記長期検索用履歴情報ごとに長期検索用履歴情報を識別するための長期検索用インデックス情報を作成する長期検索用インデックス作成手段と、オペレータの要求により表示するグラフのグラフ表示条件に基づいて前記プラントデータテーブルや前記プラントデータ履歴情報テーブルや前記長期検索用履歴情報テーブルから表示データのデータ検索を行い前記プラントデータ履歴情報を検索する場合には前記インデックス情報により検索し前記長期検索用履歴情報を検索する場合には長期検索用インデックス情報により検索し検索結果情報テーブルに保存する検索手段と、前記検索結果情報テーブルに保存された表示データに基づいて表示装置に表示するグラフを作成するグラフ作成手段とを備えたことを特徴とする。
【発明の効果】
【０００７】
本発明によれば、長期間のプラントデータを効率よく検索し、傾向監視や異常値監視を行うことが可能なグラフを表示できるデータ表示装置を提供することである。
【発明を実施するための最良の形態】
【０００８】
（第１の実施の形態）
図１は本発明の第１の実施の形態に係わるデータ表示装置の構成図である。プラント１の各種設備に設置された各センサーからのプラントデータは、プラントデータ入力手段２により所定のデータ取込周期で時系列的に取り込まれ、プラントデータテーブル３へ時刻情報とともに書き込まれる。プラントデータテーブル３は時系列的に取り込まれたプラントの瞬時値を保存するものである。この瞬時値は所定期間の時系列的データを更新記憶するようにしてもよい。
【０００９】
プラントデータ収録手段４は、プラントデータテーブル３からデータをデータ取込周期より長い予め定めた複数種類のデータ収録周期で時系列的に読み込む。そして、読み込んだ予め定めたデータ収録周期ごとの所定個数の時系列プラントデータを、そのデータ収録周期ごとにまとめてプラントデータ履歴情報としてプラントデータ履歴情報テーブル７へ書き込む。インデックス作成手段５は、プラントデータ履歴情報テーブル７へ保存するプラントデータの日時情報からプラントデータ履歴情報ごとにプラントデータ履歴情報を識別するためのインデックス情報を作成し、インデックス情報テーブル６に記憶更新する。
【００１０】
長期検索用履歴情報作成手段８は長期検索用履歴情報を作成するものであり、プラントデータ履歴情報テーブル７から、プラントデータ履歴情報ごと所定個数の時系列プラントデータを読み込み、最大値・最小値・平均値算出手段１６を起動して、プラントデータ履歴情報ごとにその時系列プラントデータのうちの最大値、最小値、平均値を計算させ、各々のプラントデータ履歴情報ごとのプラントデータのうちの最大値、最小値、平均値を長期検索用履歴情報として作成し長期検索用履歴情報テーブル１１へ保存する。長期検索用インデックス作成手段９は長期検索用履歴情報ごとに長期検索用履歴情報を識別するための長期検索用インデックス情報を作成し長期検索用インデックス情報テーブル１０に保存する。
【００１１】
一方、グラフ表示条件作成手段１８は、ディスプレイやマウスやキーボードを具備する表示装置２８を介して、グラフ表示のための条件を入力するものであり、グラフ表示条件作成手段１８はグラフ表示のための条件が指定されると、ポイント情報テーブル１９に格納されたポイント情報を参照しグラフ表示条件を作成する。ポイント情報はグラフ表示条件に利用される情報であり、例えば、グラフの拡大表示する際の座標や枠のサイズ等の情報である。グラフ表示条件作成手段１８で作成されたグラフ表示条件は検索手段１５に出力される。
【００１２】
検索手段１５は、グラフ表示条件作成手段１８にて作成されたグラフ表示条件のデータを検索するものである。すなわち、グラフ表示条件に応じて、プラントデータ検索手段１２、履歴情報検索手段１３、長期検索用履歴情報検索手段１４を起動する。取り込んだ最新のプラントデータを必要とするときはプラントデータ検索手段１２を起動しプラントデータテーブル３からデータを検索する。プラントデータ履歴情報を必要とするときは履歴情報検索手段１３を起動し、インデックス情報テーブル６のインデックス情報を基にプラントデータ履歴情報テーブル７からプラントデータ履歴情報ごとのプラントデータを検索する。一方、長期検索用履歴情報を必要とするときは長期検索用履歴情報検索手段１４を起動し、長期検索用インデックス情報テーブル１０の長期検索用インデックス情報を基に長期検索用履歴情報テーブル１１からデータを検索する。検索手段１５によって検索された検索結果情報は検索結果情報テーブル１７に保存される。
【００１３】
グラフ作成手段２０は、検索結果情報テーブル１７の検索結果情報に基づいて表示装置２０に表示するグラフを作成し、グラフ表示手段２１はグラフ作成手段２０で作成されたグラフを表示装置２８に表示する。 
図２はプラントデータテーブル３の一例の説明図である。図２に示すように、プラントデータテーブル３は時刻情報と共に各種のプラントデータの瞬時値が書き込まれる。図２では一時点のプラントデータしか示していないが、所定期間の瞬時値の時系列的データを更新記憶するように構成することも可能である。
【００１４】
図３はプラントデータ履歴情報テーブル７の一例の説明図である。図３に示すように、プラントデータ履歴情報テーブル７には、プラントデータ収録手段４によりプラントデータテーブル３の保存内容を予め定めた周期単位（所定期間）で読み込まれる。例えば、１分、１０分、３０分、１時間、２時間、６時間、半日、１日、１週等の周期単位で、プラントデータの時系列データを保存する。
【００１５】
そして、インデックス作成手段５は、周期単位で取り込まれたプラントデータをひとかたまりにしてインデックス情報を作成しインデックス情報テーブル６に保存する。図４はプラントデータ履歴情報テーブル７のデータファイルとインデックス情報テーブル６のインデックスファイルの説明図である。履歴情報検索手段１３は、インデックス情報テーブル６のインデックスファイルを参照して、プラントデータ履歴情報テーブル７のデータファイルの中から読み出すデータを特定してプラントデータ履歴情報を取り出す。このように、インデックス情報を参照してプラントデータ履歴情報を検索して取り出すので、プラントデータ履歴情報の検索を高速に行うことができる。
【００１６】
このように、プラントデータ履歴情報テーブル７は予め定めた周期単位での周期毎のかたまりデータを保持し、インデックス情報は周期毎のかたまりについての日時とポインタを保持する。ポインタは、ファイル上の物理的な位置を示し検索を高速に行うために使用する。
【００１７】
また、長期検索用履歴情報作成手段８はプラントデータ履歴情報テーブル７のプラントデータ履歴情報から長期検索用履歴情報を作成し、同時に長期検索用インデックス作成手段９は長期検索用インデックス情報を更新して長期検索用インデックス情報テーブル１０に記憶する。
【００１８】
長期検索用履歴情報テーブル１１は、例えば、１日など指定された周期毎に求めた範囲内で、そのプラントデータの最大値と最小値と平均値とを保持する。また、プラントデータ履歴情報テーブル７は１時間などの周期毎のかたまりデータを保持し、インデックス情報は周期毎のかたまりについての日時とポインタを保持する。数年分などの長期間での検索では、データ量が多いプラントデータ履歴情報テーブル７ではなく、長期検索用履歴情報テーブル１１を用いることで高速にプラントデータを検索することが可能となる。これは、長期検索用履歴情報テーブル１１は、１日など指定された周期毎に求めた範囲内で、そのプラントデータの最大値と最小値と平均値とを保持し、その検索は長期検索用インデックス情報を用いて検索するからである。
【００１９】
グラフ表示条件作成手段１８は、前述したように、ディスプレイやマウス、キーボードを具備する表示装置２８を介してオペレータが指定するグラフ表示条件を基に、検索手段１５を介して必要なデータをプラントデータ検索手段１２あるいは履歴情報検索手段１３あるいは長期検索用履歴情報検索手段１４のいずれかあるいは組み合わせてプラントデータを収集する。そして、検索手段１５は、検索結果情報を検索結果情報テーブル１７に格納する。検索結果情報テーブル１７の検索結果情報は、グラフ作成手段２０にてグラフ形式に変換された後、グラフ表示手段２１を介して表示装置２８に表示される。表示装置２８では、マウス、キーボードを用いて最大値・最小値でのグラフあるいは平均値でのグラフを切替えて表示する。
【００２０】
第１の実施の形態によれば、グラフを表示する際に定周期のデータをそのまま表示するのではなく、周期毎の最大値あるいは最小値を用いて表示するので、異常値を視覚的に発見することが可能になる。また、周期毎の平均値を用いることで長期間の傾向を視覚的に確認することが可能になる。
【００２１】
（第２の実施の形態）
図５は本発明の第２の実施の形態に係わるデータ表示装置の構成図である。この第２の実施の形態は、図１に示した第１の実施の形態に対し、プラントデータの収録時に長期検索用情報を作成しておくことに代えて、表示すべきデータを検索する際に長期検索用情報を作成するようにしたものである。図１と同一要素には同一符号を付し重複する説明は省略する。
【００２２】
最大値・最小値・平均値算出手段１６は検索手段１５に接続されている。検索手段１５は、オペレータの要求によりグラフ表示条件作成手段１８から得られたグラフ表示条件に基づいて、プラントデータテーブル３やプラントデータ履歴情報テーブル７から表示データのデータ検索を行う。
【００２３】
長期検索用履歴情報を表示する場合には履歴情報検索手段１３を起動し、インデックス情報テーブル６のインデックス情報により、プラントデータ履歴情報テーブル７よりプラントデータ履歴情報を取り出する。そして、最大値・最小値・平均値算出手段１６を起動し、取り出したプラントデータ履歴情報のプラントデータの最大値や最小値や平均値を含む長期検索用履歴情報を作成させ、プラントデータ履歴情報ごとのプラントデータの最大値や最小値や平均値のデータ検索を行い検索結果情報テーブル１７に保存する。
【００２４】
第２の実施の形態によれば、表示すべきデータが必要となった際に長期検索用情報を作成するので、表示を必要としない長期検索用情報を作成しておく必要がなく演算処理のむだがなくなる。すなわち、第１の実施の形態の長期検索用履歴情報作成手段８、長期検索用インデックス作成手段９、長期検索用インデックス情報テーブル１０、長期検索用履歴情報テーブル１１、長期検索用履歴情報検索手段１４が不要となる。
【００２５】
（第３の実施の形態）
図６は本発明の第３の実施の形態に係わるデータ表示装置の構成図である。この第３の実施の形態は、図１に示した第１の実施の形態に対し、長期検索用履歴情報の平均値を用いた長期傾向グラフと長期検索用履歴情報の最大値や最小値を用いた異常値検出グラフとの表示切り替えを行うグラフ切替手段２９を追加して設けたものである。図１と同一要素には同一符号を付し重複する説明は省略する。
【００２６】
図７はグラフ切替手段２９で切り替えを行う長期傾向グラフと異常値検出グラフとの説明図であり、図７（ａ）は長期傾向グラフの一例を示すグラフ、図７（ｂ）は異常値検出グラフの一例を示すグラフである。
【００２７】
表示装置２８にグラフを表示する際、またはグラフの表示後に、長期的傾向グラフの表示要求があったときは、検索手段１５は長期検索用履歴情報の平均値を取得する。すなわち、予め検索結果情報テーブル１７内に保存されている平均値を用いて図７（ａ）に示すように長期傾向グラフの表示を行う。
【００２８】
また、切替手段２９によって、異常値検出グラフに切り替えられた場合には、検索手段１５は、プラントデータの上限値や下限値を取得し検索結果情報テーブル１７内に保存されている最大値や最小値を用いて異常値検出グラフの表示を行う。例えば、図７（ｂ）に示すように、プラントデータが上下限値の範囲内にあるときは平均値を選択し、上限値を超えたいる場合には最大値の値を採用し、下限値を逸脱している場合には最小値の値を採用する。
【００２９】
図８は図７（ａ）の長期傾向グラフと図７（ｂ）の異常値検出グラフとを重ねて表示した場合のグラフである。このように、重ね合わせを選択した場合、図８のように長期的傾向グラフと異常値検出グラフとが重ね合わせられて、表示装置２８に表示される。
【００３０】
以上の説明では、第１の実施の形態に対しグラフ切替手段２９を追加して設けた場合について説明したが、第２の実施の形態に対しグラフ切替手段２９を追加して設けるようにしてもよい。
【００３１】
第３の実施の形態によれば、長期傾向グラフと異常値検出グラフとを切り替えて表示することができるので、プラントデータの長期的な傾向と局所的な変動を比較して監視することができ、プラントトリップの原因追及が容易となる。
【００３２】
（第４の実施の形態）
図９は本発明の第４の実施の形態に係わるデータ表示装置の構成図である。この第４の実施の形態は、図１に示した第１の実施の形態に対し、グラフ拡大手段２２を追加して設けたものである。図１と同一要素には同一符号を付し重複する説明は省略する。
【００３３】
グラフ拡大手段２２は、グラフ表示手段２１で表示する長期検索用履歴情報の平均値を用いた長期傾向グラフのグラフ上に、自由にサイズ変更可能な枠を表示し、その枠内に拡大表示を行う。また、その枠内のプラントデータの平均値や最大値や最小値を併せて表示する。
【００３４】
図１０はグラフ拡大手段２２による表示の一例の説明図である。図１０の上図に示すように、表示装置２８にてグラフを表示している際に、オペレータによりグラフの拡大を要求された場合には、図１０の下図に示すように、指定された枠内に拡大表示を行う。また、その枠内のプラントデータの平均値や最大値や最小値を併せて表示する。
【００３５】
すなわち、自由にサイズ変更可能な枠をグラフ上に表示する。拡大表示する座標は、ポイント情報テーブル１９のポイント情報としてグラフ表示条件作成手段１８に渡し、座標や枠のサイズから期間を算出する。グラフ表示条件作成手段１８は表示すべき期間を検索手段１５に渡し、検索手段１５は検索結果情報テーブル１７より拡大範囲のデータを抽出する。検索手段１５は、これらの検索結果情報をグラフ拡大手段２２に渡す。そして、グラフ表示手段２１を介して枠内にグラフ表示を行い、最大値・最小値・平均値の表示も行う。
【００３６】
オペレータが可変枠を拡大（または縮小）した場合や、枠の位置を移動した場合は、変更された座標をポイント情報としてグラフ表示条件作成手段１８に渡し、座標や枠のサイズから期間を算出する。以降、同様に処理を繰り返す。
【００３７】
以上の説明では、第１の実施の形態に対しグラフ拡大手段２２を追加して設けた場合について説明したが、第２の実施の形態に対しグラフ拡大手段２２を追加して設けるようにしてもよい。この場合、最大値・最小値・平均値算出手段１６において、検索手段１５で選択した範囲内におけるプラントデータの最大値・最小値・平均値を算出することになる。
【００３８】
第４の実施の形態によれば、グラフの一部を拡大表示するとともに、その拡大範囲の統計値（平均値、最大値、最小値）を表示することにより、プラントトリップ前などのデータ値の変動が明確になり、時間軸方向にスムーズに辿ることでトリップの原因追及が容易となる。
【００３９】
（第５の実施の形態）
図１１は本発明の第５の実施の形態に係わるデータ表示装置の構成図である。この第５の実施の形態は、図５に示した第２の実施の形態に対し、現場巡視点検結果等のパトロールイベントデータ２４を入力するイベントデータ入力手段２５と、イベントデータ入力手段２５により入力された各種イベント情報を保存するイベントデータテーブル２６と、イベントデータテーブル２６を検索するイベントデータ検索手段２７とを追加して設けたものである。図５と同一要素には同一符号を付し重複する説明は省略する。
【００４０】
パトロールイベントデータ２４には大別すると、静止画、動画、イベントログ（アラームログ、操作履歴、接点変化等）、各種点検結果（PDF、Excel等電子媒体は自由）、ＵＲＬリンクとなる。現場巡視点検等で採取した映像、画像、計器の読み取りデータ等はイベントデータ入力手段２５によりイベントデータテーブル２６に保存される。
【００４１】
図１２はイベントデータテーブル２６の構成図である。図１２に示すように、静止画ファイルＢ２、動画ファイルＢ１、点検結果ファイルＢ３については、発生日時と関連するファイル名をイベントデータにて管理する。また動画の場合は発生日時のほか、終了日時も含めて管理される。イベントログは発生日時とメッセージ内容が保存され、ＵＲＬは関連する日時とともにリンク先のＵＲＬが管理される。
【００４２】
グラフ表示手段２１によりプラントデータのグラフ表示を行った後、グラフの読み取りを開始する。グラフ表示手段２１はグラフ読み取り日時をイベントデータ検索手段２７に通知する。イベントデータ検索手段２７はグラフ表示手段２１より通知されたグラフ読み取り日時をキーにイベントデータテーブル２６を検索し、該当するパトロールイベントデータ（動画、静止画、イベントログ、点検結果、ＵＲＬ）をグラフ表示手段２１に返す。
【００４３】
図１３はグラフ表示手段２１によりグラフ描画にパトロールイベントデータを併せて表示した場合のグラフである。図１３に示すように、グラフ表示手段２１はグラフデータ読み取り用ヘアラインカーソル３０を表示し、このグラフデータ読み取り用ヘアラインカーソル３０が運転員により動かされると、そのグラフデータ読み取り用ヘアラインカーソル３０の動きと連動してイベントデータを重ねて描画する。同様に、動画についてもグラフ読み取り用ヘアラインカーソル３０と同期して映像を表示する。
【００４４】
以上の説明では、第２の実施の形態に対し、イベントデータ入力手段２５、イベントデータテーブル２６、イベントデータ検索手段２７を追加して設けた場合について説明したが、第１の実施の形態に対し、イベントデータ入力手段２５、イベントデータテーブル２６、イベントデータ検索手段２７を追加して設けるようにしてもよい。
【００４５】
第５の実施の形態によれば、プラントデータと各種イベントデータとを同一時間軸で重ねて表示するので、従来見えなかった事故発生時の現場の状況を併せて確認することができる。このため、異常発生時の事故解析に非常に効果的である。また、各種点検結果とプラントデータを連動できることから日常の報告書作成の支援も可能としている。
【００４６】
（第６の実施の形態）
図１４は本発明の第６の実施の形態に係わるデータ表示装置の構成図である。この第６の実施の形態は、図１に示した第１の実施の形態に対し、グラフ複製手段２３を追加して設けたものである。図１と同一要素には同一符号を付し重複する説明は省略する。
【００４７】
グラフ複製手段２３は、表示装置２８に表示されたグラフ上で比較元の範囲を選択してコピーし、比較先のエリアにペーストする。グラフ表示手段２１は、複製を表示するとともに選択した範囲内でグラフの拡大描画を行う。
【００４８】
図１５はグラフ複製手段２３によるグラフ複製の一例の説明図である。グラフ表示手段２１によりグラフ描画後に、複製したい描画エリアを選択し、グラフ複製手段２３によりコピーを行う。例えば、コピーエリアＣ１を選択して複製し、その後に重ね合わせを行いたいペーストエリアＣ２にマウスカーソルを移動し、グラフ複製手段２３によりペーストを行う。
【００４９】
グラフ複製手段２３により任意のエリアにペーストを行った後、グラフが拡大表示されるとともに、コピーエリアＣ１とペーストエリアＣ２の２期間の時間軸が表示され、２期間重ね合わせ及び拡大表示が同時に行われる。
【００５０】
例えば、長期検索用履歴情報検索手段１０にて１ヶ月から１年程度のスパンでグラフ描画を行った後、重ね合わせたいエリアを選択し、前述のグラフ複製手段２３によりペーストを行った場合、ユーザが意識することなく自動で長期検索用履歴情報テーブル１１ではなく、よりメッシュの細かいプラントデータ履歴情報テーブル７からデータを検索することも可能としている。
【００５１】
第６の実施の形態によれば、２期間重ね合わせは、最初に１期間でデータの傾向をつかんだ後にグラフ表示状態から２期間への移行が可能であるため、比較する期間が決まっていなくてもスムースに２期間比較が行うことができる。また、拡大した範囲内で検索間隔や検索対象データ（長期検索用履歴情報、プラントデータ履歴情報）を自動で切り替えているため、初めに長期間の傾向解析を行った後に、比較的短期間のデータ解析まで検索条件を人間系で変更することなくスムースに移行することができる。
【図面の簡単な説明】
【００５２】
【図１】本発明の第１の実施の形態に係わるデータ表示装置の構成図。
【図２】本発明の第１の実施の形態におけるプラントデータテーブルの一例の説明図。
【図３】本発明の第１の実施の形態におけるプラント履歴データテーブルの構成図。
【図４】本発明の第１の実施の形態におけるプラントデータ履歴情報テーブルのデータファイルとインデックス情報テーブルのインデックスファイルの説明図。
【図５】本発明の第２の実施の形態に係わるデータ表示装置の構成図。
【図６】本発明の第３の実施の形態に係わるデータ表示装置の構成図。
【図７】本発明の第３の実施の形態おけるグラフ切替手段で切り替えを行う長期傾向グラフと異常値検出グラフとの説明図    。
【図８】図７（ａ）の長期傾向グラフと図７（ｂ）の異常値検出グラフとを重ねて表示した場合のグラフ。
【図９】本発明の第４の実施の形態に係わるデータ表示装置の構成図。
【図１０】本発明の第４の実施の形態におけるグラフ拡大手段による表示の一例の説明図。
【図１１】本発明の第５の実施の形態に係わるデータ表示装置の構成図。
【図１２】本発明の第５の実施の形態におけるイベントデータの構成図。
【図１３】本発明の第５の実施の形態におけるグラフ表示手段によりグラフ描画にイベントデータを併せて表示した場合のグラフ。
【図１４】本発明の第６の実施の形態に係わるデータ表示装置の構成図。
【図１５】本発明の第６の実施の形態におけるグラフ複製手段によるグラフ複製の一例の説明図。
【符号の説明】
【００５３】
１…プラント、２…プラントデータ入力手段、３…プラントデータテーブル、４…プラントデータ収録手段、５…インデックス作成手段、６…インデックス情報テーブル、７…プラントデータ履歴情報テーブル、８…長期検索用履歴情報作成手段、９…長期検索用インデックス作成手段、１０…長期検索用インデックス情報テーブル、１１…長期検索用履歴情報テーブル、１２…プラントデータ検索手段、１３…履歴情報検索手段、１４…長期検索用履歴情報検索手段、１５…検索手段、１６…最大値・最小値・平均値算出手段、１７…検索結果情報テーブル、１８…グラフ表示条件作成手段、１９…ポイント情報テーブル、２０…グラフ作成手段、２１…グラフ表示手段、２２…グラフ拡大手段、２３…グラフ複製手段、２４…パトロールイベント、２５…イベントデータ検索手段、２６…イベントデータテーブル、２７…イベントデータ検索手段、２８…表示装置、２９…グラフ切替手段、３０…ヘアラインカーソル
【図１】
2010049533.tif 000003
【図２】
2010049533.tif 000004
【図３】
2010049533.tif 000005
【図４】
2010049533.tif 000006
【図５】
2010049533.tif 000007
【図６】
2010049533.tif 000008
【図７】
2010049533.tif 000009
【図８】
2010049533.tif 000010
【図９】
2010049533.tif 000011
【図１０】
2010049533.tif 000012
【図１１】
2010049533.tif 000013
【図１２】
2010049533.tif 000014
【図１３】
2010049533.tif 000015
【図１４】
2010049533.tif 000016
【図１５】
2010049533.tif 000017